(57)【要約】【課題】組立式の構築物に用いるパネルを、外側からでも内側からでも取り付けられ、外側又は内側から柱に取り付けても外観に差が生じない取付方法を提供する。【解決手段】パネル１０の両端に取付金具１１を設け、その取付金具１１を柱２に取り付ける取付方法において、構築物の外側からパネル１０を取り付ける場合には取付金具１１を柱２に取り付けた後にパネル１０を取付金具１１に取り付け、構築物の内側からパネル１０を取り付ける場合には取付金具１１をパネル１０に取り付けた後に取付金具１１を柱２に取り付ける。【選択図】図６
2004011361.tif 000002
【特許請求の範囲】
【請求項１】
複数の柱と、その柱間に渡るパネルからなる組立式の構築物であって、パネルを柱に取り付ける取付方法において、パネルを構築物の外側からでも内側からでも取り付けられるようにしたバルク貯槽収納庫等の構築物におけるパネルの取付方法。
【請求項２】
複数の柱と、その柱間に渡るパネルからなる組立式の構築物であって、パネルの両端に取付金具を設け、その取付金具を柱に取り付ける取付方法において、構築物の外側からパネルを取り付ける場合には取付金具を柱に取り付けた後にパネルを取付金具に取り付け、構築物の内側からパネルを取り付ける場合には取付金具をパネルに取り付けた後に取付金具を柱に取り付けるようにしたバルク貯槽収納庫等の構築物におけるパネルの取付方法。
【請求項３】
複数の柱と、その柱間に渡るパネルからなる組立式の構築物であって、パネルの両端に取付金具を設け、その取付金具を柱に取り付ける取付構造において、パネルの両端の幅を柱の内方間隔と同じかそれより狭くし、パネルの両端に取り付けた取付金具の総幅を柱の内方間隔と同じかそれより広くし、取付金具にパネルを取り付ける際には構築物の外側からボルトで止着し、柱に取付金具を取り付ける際には構築物の内側のボルトで止着したバルク貯槽収納庫等の構築物におけるパネルの取付構造。
【発明の詳細な説明】
【０００１】
【発明の属する技術分野】
本発明は、屋外の地上に設置され容易に動かすことのできない液化石油ガス（ＬＰＧ）のバルク貯槽やバルク容器等のような危険物を保護する組立式の構築物において、構築物を構成する壁として用いるパネルの取付方法および構造に関する。
【０００２】
【従来の技術】
ＬＰＧの一般需要家の貯蔵設備として、ガスを充填した容器を運んできて設置する、容器を５０ｋｇ程度の容易に動かすことのできる小型としたものが知られている。このガス容器を複数本収納する組立式の収納庫も、特開平１０−１３２１９６号として知られている。
【０００３】
この組立式の小型容器の収納庫は、収納庫を設置した後にガス容器を運び入れればよいこと、塀や保安物件（火気や家屋等）からの距離規制を緩和するための構造壁に接近して建てられる場合には外側からパネルを取り付けられないため、収納庫の内側からパネルを取り付けるようにしている。
【０００４】
近年、ＬＰＧの一般需要家の貯蔵設備として、設置した容器にガスをＬＰＧバルクローリから充填する、容器を５００ｋｇ程度の可搬式の大型としたバルク容器や、比較的大型の容器を固定設置したバルク貯槽が増加してきている。可搬式のバルク容器は地上に据え置かれ、固定設置されるバルク貯槽は地下埋設される地下型と地上設置される地上型があり、バルク容器と地上型バルク貯槽は屋外の地上に設置される。本発明では、これら一般需要家の貯蔵設備としての屋外の地上に設置され容易に動かすことのできないＬＰＧの容器をバルク貯槽と称する。
【０００５】
このようなＬＰＧバルク貯槽でも、自動車進入による引火の危険やいたずら防止のため収納庫に収納するものは、実開平６−８５９９９号として知られている。
【０００６】
このＬＰＧバルク貯槽収納庫は、周囲の三方をコンクリートブロックで囲い、開放部分となる屋根部分と囲われていない周囲の一方を一連に軽量シャッターとして開閉可能としたもので、収納庫を設置した後にＬＰＧバルク貯槽をクレーン車で運び入れるものである。
【０００７】
しかし、可搬式のバルク容器でも、容器が空になる毎にクレーン車で交換するのは困難なことから、現実的には設置した容器にガスをＬＰＧバルクローリから充填する方法が採られている。この場合、屋根部分が開閉可能な必要は無く、屋根部分が固定されていると構築物の構造としても容易に強度が保たれる。そこで設置したＬＰＧバルク貯槽に、後から屋根付の組立式の収納庫を組み立てて設置することが行われている。
【０００８】
このＬＰＧバルク貯槽収納庫は、組立式として運搬や保管が容易なようにし、ＬＰＧバルク貯槽が設置される現地で組み立てるようにしている。その組立式のＬＰＧバルク貯槽収納庫は、四本の柱とその柱間に渡る複数枚のパネルと扉および屋根で構成され、それらは軽量なように薄い鋼板で形成されている。
【０００９】
【発明が解決しようとする課題】
上記従来のＬＰＧバルク貯槽収納庫のパネルの取付方法は、小型容器の収納庫と同様に塀や構造壁に接近して建てられることを考慮して、収納庫の内側からパネルを取り付けるようにしていた。
【００１０】
また、ＬＰＧ需要家における収納庫の設置場所の制限から、ＬＰＧバルク貯槽の大きさに比べて過大な大きさの収納庫を建てることは許容されない。つまり、ＬＰＧバルク貯槽と収納庫の内壁との間を人が容易に通れるほど広くすることは、ＬＰＧ需要家にとって無駄なことと見なされてしまう。
【００１１】
そのため、ＬＰＧバルク貯槽と収納庫の内壁との間が狭く、収納庫の内側からパネルを取り付けようとしても、既に設置されているＬＰＧバルク貯槽に邪魔されて、作業者の体が入らなかったり、無理な体勢で作業をしなければならなかった。
【００１２】
この課題を解決するには、塀や構造壁に接近して建てられる壁のパネルを最初に内側から取り付け、それ以外の壁のパネルは外側から取り付けるようにすれば、最初に内側からパネルを取り付ける際にはまだパネルを取り付けていない開口部から体が入れられるので作業性が良くなる。
【００１３】
しかし、薄い鋼板製のパネルを例えば平面視でハット形断面として内側又は外側から柱に取り付けると、柱とパネルの間で外観に柱の厚みの分だけ段差が生じてしまう。
【００１４】
なお、ＬＰＧバルク貯槽には法律で定期点検が義務付けられているが、ＬＰＧバルク貯槽と収納庫の内壁との間が狭く、その外観を目視点検することも容易でなかった。
【００１５】
そこで本発明は、パネルを外側からでも内側からでも取り付けられること、パネルを外側又は内側から柱に取り付けても外観に差が生じないこと、ＬＰＧバルク貯槽の外観の目視点検を容易とした、バルク貯槽収納庫等の構築物におけるパネルの取付方法および構造を提供することを目的とする。
【００１６】
【課題を解決するための手段】
請求項１の発明のバルク貯槽収納庫等の構築物におけるパネルの取付方法は、複数の柱２，３，４と、その柱２，３，４間に渡るパネル１０からなる組立式の構築物１であって、パネル１０を柱２，３，４に取り付ける取付方法において、パネル１０を構築物１の外側からでも内側からでも取り付けられるようにしたものである。
【００１７】
請求項２の発明のバルク貯槽収納庫等の構築物におけるパネルの取付構造は、複数の柱２，３，４と、その柱２，３，４間に渡るパネル１０からなる組立式の構築物１であって、パネル１０の両端に取付金具１１を設け、その取付金具１１を柱２，３，４に取り付ける取付方法において、構築物１の外側からパネル１０を取り付ける場合には取付金具１１を柱２，３，４に取り付けた後にパネル１０を取付金具１１に取り付け、構築物１の内側からパネル１０を取り付ける場合には取付金具１１をパネル１０に取り付けた後に取付金具１１を柱２，３，４に取り付けるようにしたものである。
【００１８】
請求項３の発明のバルク貯槽収納庫等の構築物におけるパネルの取付構造は、複数の柱２，３，４と、その柱２，３，４間に渡るパネル１０からなる組立式の構築物１であって、パネル１０の両端に取付金具１１を設け、その取付金具１１を柱２，３，４に取り付ける取付構造において、パネル１０の両端の幅を柱２，３，４の内方間隔と同じかそれより狭くし、パネル１０の両端に取り付けた取付金具１１の総幅を柱２，３，４の内方間隔と同じかそれより広くし、取付金具１１にパネル１０を取り付ける際には構築物１の外側からボルト１２で止着し、柱２，３，４に取付金具１２を取り付ける際には構築物１の内側のボルト１３で止着したものである。
【００１９】
【発明の実施の形態】
請求項１の発明では、パネル１０を構築物１の外側からでも内側からでも取り付けられるようにしたから、塀や構造壁に接近して建てられる壁のパネル１０を最初に内側から取り付け、それ以外の壁のパネル１０は外側から取り付けられる。
【００２０】
請求項２の発明では、構築物１の外側からパネル１０を取り付ける場合には取付金具１１を柱２，３，４に取り付けた後にパネル１０を取付金具１１に取り付け、構築物１の内側からパネル１０を取り付ける場合には取付金具１１をパネル１０に取り付けた後に取付金具１１を柱２，３，４に取り付けるようにしたから、パネル１０を外側又は内側から取り付ける場合でも、取り付ける順番が異なるのみで、取り付けた後の構造は同一となる。
【００２１】
請求項３の発明では、パネル１０の両端の幅を柱２，３，４の内方間隔と同じかそれより狭くし、パネル１０の両端に取り付けた取付金具１１の総幅を柱２，３，４の内方間隔と同じかそれより広くし、取付金具１１にパネル１０を取り付ける際には構築物１の外側からボルト１２で止着し、柱２，３，４に取付金具１２を取り付ける際には構築物１の内側のボルト１３で止着したから、構築物１の外側からボルト１２を外すことにより容易にパネル１０を取り外すことができる。
【００２２】
【実施例】
以下、本発明の一実施例を図面を参照して説明する。
【００２３】
図１に示すのは地上設置のＬＰＧバルク貯槽２１の収納庫１としての構築物であって、２０はコンクリートで方形に形成され地面Ｅ下に半ば埋め込まれた基礎で、基礎２０上に直径が約９７ｃｍの略円筒形のＬＰＧバルク貯槽２１を固定設置する。
【００２４】
ＬＰＧバルク貯槽２１の設置空間の全周囲を四面で囲み、上方に屋根６を設けた収納庫１を設ける。
【００２５】
収納庫１は平面視で方形に設けられ、その前面の幅が約１５０ｃｍ、その側面の奥行が約１８０ｃｍのもので、その四隅に垂直方向に長い角柱２が設けられ、角柱２は平面視が略Ｌの字状の薄い鋼板で形成され、角柱２の下端はアンカーボルトで基礎２０上に固定される。
【００２６】
収納庫１の前面の角柱２間にシャッター式の扉５が設けられ、左右側面と後面の角柱２間にパネル１０を取り付け固定する。左右側面のパネル１０とＬＰＧバルク貯槽２１の最小の間隔は約２６．５ｃｍであり、後面のパネル１０とＬＰＧバルク貯槽２１の最小の間隔は約１３ｃｍである。
【００２７】
前面のシャッター式の扉５は上下に開閉し施錠可能なもので、扉５は薄い鋼板で形成され、扉５の上下には通気口を設ける。
【００２８】
左右側面のパネル１０は２枚で構成され、２枚のパネル１０の間には垂直方向に細長い側パネル柱３を設け、後面のパネル１０は１枚で、そのパネル１０の左右と角柱２の間に垂直方向に細長い後パネル柱４を設ける。側パネル柱３と後パネル柱４は平面視が略コの字状の薄い鋼板で形成される。
【００２９】
側面と後面のパネル１０は同一であり、パネル１０は角柱２と側パネル柱３の間、又は後パネル柱４の間に渡り、角柱２と側パネル柱３および後パネル柱４を柱２，３，４と称する。パネル１０の枚数と側パネル柱３と後パネル柱４の幅により収納庫１の大きさが変えられるようになっている。これらパネル１０の上下には通気口を設ける。
【００３０】
屋根６は、複数枚の略矩形の薄い鋼板で形成され、屋根６板の間に通気口を設ける。
【００３１】
図５および図６に示すのは第一実施例に係るパネル１０であり、パネル１０は略矩形の垂直方向に長い板で、平面視が略Ｉの字状の薄い鋼板で形成される。パネル１０の両端の幅は、柱２，３，４の内方間隔と同じかそれよりやや狭くする。
【００３２】
パネル１０の両端に取付金具１１を設け、取付金具１１は垂直方向に細長い平面視が略Ｌの字状の薄い鋼板で形成される。取付金具１１にパネル１０を取り付ける際には収納庫１の外側からボルト１２で止着し、ボルト１２はナットを必要としないタッピングネジであり、パネル１０の両端に取り付けた取付金具１１の総幅を柱２，３，４の内方間隔とほぼ同じとする。
【００３３】
取付金具１１を柱２，３，４に取り付ける際には、収納庫１の内側のボルト１３とナット１４で壁面と平行に止着する。
【００３４】
図７に示すのは第二実施例に係るパネル１０であり、パネル１０は略矩形の垂直方向に長い板で、補強のため平面視が略Πの字状の薄い鋼板で形成される。パネル１０の両端の幅は、柱２，３，４の内方間隔と同じかそれよりやや狭くする。
【００３５】
パネル１０の両端に取付金具１１を設け、取付金具１１は垂直方向に細長い板で、パネル１０と柱２，３，４の間の隙間を塞ぐように平面視が略Ｚの字状の薄い鋼板で形成される。取付金具１１にパネル１０を取り付ける際には収納庫１の外側からボルト１２で止着し、ボルト１２はナットを必要としないタッピングネジであり、パネル１０の両端に取り付けた取付金具１１の総幅を柱２，３，４の内方間隔より広くする。
【００３６】
取付金具１１を柱２，３，４に取り付ける際には、収納庫１の内側のボルト１３とナット１４で壁面と平行に止着する。
【００３７】
図８に示すのは第三実施例に係るパネル１０であり、パネル１０は略矩形の垂直方向に長い板で、補強のため平面視が略Πの字状の薄い鋼板で形成される。パネル１０の両端の幅は、柱２，３，４の内方間隔と同じかそれよりやや狭くする。
【００３８】
パネル１０の両端に取付金具１１を設け、取付金具１１は垂直方向に細長い板で、パネル１０と柱２，３，４の間の隙間を塞ぐように平面視が略Ｚの字状の薄い鋼板で形成される。取付金具１１にパネル１０を取り付ける際には収納庫１の外側からボルト１２で止着し、ボルト１２はナットを必要としないタッピングネジであり、パネル１０の両端に取り付けた取付金具１１の総幅を柱２，３，４の内方間隔より広くする。
【００３９】
取付金具１１を柱２，３，４に取り付ける際には、収納庫１の内側のボルト１３とナット１４で壁面と垂直に止着する。
【００４０】
次に収納庫１の組み立て設置方法を説明する。
【００４１】
組み立てに際しては、ＬＰＧバルク貯槽２１が設置された基礎２０上に柱２，３，４と屋根６を組み立てた後にパネル１０を取り付ける。
【００４２】
まず、塀や構造壁に接近して建てられる壁のパネル１０を最初に内側から取り付ける。収納庫１の内側からパネル１０を取り付ける場合には、ボルト１２で取付金具１１をパネル１０に取り付けた後に、ボルト１３とナット１４で取付金具１１を柱２，３，４に取り付ける。
【００４３】
塀や構造壁に接近していない壁のパネル１０は外側から取り付ける。収納庫１の外側からパネル１０を取り付ける場合には、ボルト１３とナット１４で取付金具１１を柱２，３，４に取り付けた後に、ボルト１２でパネル１０を取付金具１１に取り付ける。
【００４４】
最後に扉５を取り付け、組み立てが完成する。
【００４５】
以上の実施例では、パネル１０と柱２，３，４の間に段差が生じない例を示したが、パネル１０と柱２，３，４の間に所定の段差が生じるようにしても良い。
【００４６】
また、垂直方向に長いパネル１０が垂直方向の柱２，３，４間に渡る例を示したが、水平方向に長いパネル１０が水平方向の柱の間に渡るようにしても良い。
【００４７】
また、柱２，３，４やパネル１０および取付金具１１が薄い鋼板で形成された例を示したが、柱２，３，４やパネル１０および取付金具１１は合成樹脂やその他の材料で形成されても良い。
【００４８】
また、パネル１０を取り付けるボルト１２と取付金具１１を取り付けるボルト１３を同一高さに設けた例を示したが、ボルト１２とボルト１３の高さは異なっても良い。
【００４９】
【発明の効果】
請求項１の発明によれば、パネルを構築物の外側からでも内側からでも取り付けられるようにし、塀や構造壁に接近して建てられる壁のパネルを最初に内側から取り付け、それ以外の壁のパネルは外側から取り付けられるから、作業者の体が入らなかったり、無理な体勢で作業をすることが無い。
【００５０】
請求項２の発明によれば、構築物の外側からパネルを取り付ける場合には取付金具を柱に取り付けた後にパネルを取付金具に取り付け、構築物の内側からパネルを取り付ける場合には取付金具をパネルに取り付けた後に取付金具を柱に取り付けるようにし、パネルを外側又は内側から取り付ける場合でも、取り付ける順番が異なるのみで、取り付けた後の構造は同一となるから、その外観に差が生じない。
【００５１】
請求項３の発明によれば、パネルの両端の幅を柱の内方間隔と同じかそれより狭くし、パネルの両端に取り付けた取付金具の総幅を柱の内方間隔と同じかそれより広くし、取付金具にパネルを取り付ける際には構築物の外側からボルトで止着し、柱に取付金具を取り付ける際には構築物の内側のボルトで止着し、構築物の外側からボルトを外すことにより容易にパネルを取り外すことができるから、ＬＰＧバルク貯槽等の外観の目視点検が容易となる。
【図面の簡単な説明】
【図１】バルク貯槽収納庫等の構築物におけるパネルの取付方法および構造の一実施例を示す正面図である。
【図２】その側面図である。
【図３】その背面図である。
【図４】その一部を切り欠いた平面図である。
【図５】その要部を示す分解斜視図である。
【図６】図４の部分拡大図である。
【図７】図６の第二実施例を示す図である。
【図８】図６の第三実施例を示す図である。
【符号の説明】
１　構築物としての収納庫
２　柱としての角柱
３　柱としての側パネル柱
４　柱としての後パネル柱
１０　パネル
１１　取付金具
１２　ボルト
１３　ボルト
【図１】
2004011361.tif 000003
【図２】
2004011361.tif 000004
【図３】
2004011361.tif 000005
【図４】
2004011361.tif 000006
【図５】
2004011361.tif 000007
【図６】
2004011361.tif 000008
【図７】
2004011361.tif 000009
【図８】
2004011361.tif 000010